(57)【要約】【課題】無線品質の変動量及び変動速度を考慮した通信品質を推定することができる無線通信装置、方法及びプログラムを提供する。【解決手段】無線通信装置は、基地局からの受信信号の無線品質に応じて、受信信号の伝送速度が可変となる適応変調方式に基づく。無線通信装置は、無線品質の平均値及び標準偏差の毎に、通信品質を対応付けた相関通信品質記憶手段と、受信信号における無線品質を出力する復調手段と、無線品質における平均値を算出する統計平均値算出手段と、無線品質における標準偏差を算出する統計標準偏差算出手段と、統計平均値算出手段から出力された平均値と、統計標準偏差算出手段から出力された標準偏差を用いて、相関通信品質記憶手段を参照して、通信品質を導出する通信品質推定手段とを有する。【選択図】図１
2010147823.tif 000002
【特許請求の範囲】
【請求項１】
基地局からの受信信号の無線品質に応じて、前記受信信号の伝送速度が可変となる適応変調方式に基づく無線通信装置において、
無線品質の平均値及び標準偏差の毎に、通信品質を対応付けた相関通信品質記憶手段と、
前記受信信号における前記無線品質を出力する復調手段と、
前記無線品質における前記平均値を算出する統計平均値算出手段と、
前記無線品質における前記標準偏差を算出する統計標準偏差算出手段と、
前記統計平均値算出手段から出力された前記平均値と、前記統計標準偏差算出手段から出力された前記標準偏差を用いて、前記相関通信品質記憶手段を参照して、通信品質を導出する通信品質推定手段と
を有することを特徴とする無線通信装置。
【請求項２】
前記相関通信品質記憶手段は、前記無線品質の平均値及び標準偏差と、前記通信品質との対応関係を表す推定式を記憶することを特徴とする請求項１に記載の無線通信装置。
【請求項３】
前記無線品質は、信号対干渉波比ＳＩＮＲ(Signal / Interference Noise Ratio)、及び／又は、所定誤り率以下で受信可能な伝送速度ＤＲＣ(Data Rate Control bit)であり、前記通信品質は、最大伝送速度であり、
前記相関通信品質記憶手段の前記推定式は、ＳＩＮＲ及び／又はＤＲＣの標準偏差を変化させた場合に実測された平均ＳＩＮＲ及び／又は平均ＤＲＣと最大伝送速度との関係を近似的に表す関数である
ことを特徴とする請求項２に記載の無線通信装置。
【請求項４】
前記無線品質は、信号対干渉波比ＳＩＮＲ、及び、所定誤り率以下で受信可能な伝送速度ＤＲＣであり、前記通信品質は、最大伝送速度であり、
前記相関通信品質記憶手段の前記推定式は、
前記ＳＩＮＲの平均値及び標準偏差から、伝送速度ＤＲＣ毎のパケット誤り率ＰＥＲ(Packet Error Rate)を算出し、
前記ＳＩＮＲの平均値及び標準偏差から、各ＤＲＣが選択される選択確率を算出し、
前記パケット誤り率ＰＥＲから、伝送速度ＤＲＣ毎の平均再送回数を算出し、
前記選択確率及び前記平均再送回数に基づいて、前記最大伝送速度を算出する
ものであることを特徴とする請求項２に記載の無線通信装置。
【請求項５】
基地局からの受信信号の無線品質に応じて、前記受信信号の伝送速度が可変となる適応変調方式に基づく無線通信装置に搭載されたコンピュータを機能させるプログラムにおいて、
無線品質の平均値及び標準偏差毎に、通信品質を対応付けた相関通信品質記憶手段と、
前記受信信号における前記無線品質を出力する復調手段と、
前記無線品質における前記平均値を算出する統計平均値算出手段と、
前記無線品質における前記標準偏差を算出する統計標準偏差算出手段と、
前記統計平均値算出手段から出力された前記平均値と、前記統計標準偏差算出手段から出力された前記標準偏差を用いて、前記相関通信品質記憶手段を参照して、通信品質を導出する通信品質推定手段と
してコンピュータを機能させることを特徴とする無線通信装置用のプログラム。
【請求項６】
基地局からの受信信号の無線品質に応じて、前記受信信号の伝送速度が可変となる適応変調方式に基づく無線通信装置の通信品質推定方法において、
無線品質の平均値及び標準偏差毎に、通信品質を対応付けた相関通信品質記憶部を有し、
前記受信信号における前記無線品質を出力する第１のステップと、
前記無線品質における前記平均値及び前記標準偏差を算出する第２のステップと、
前記統計平均値算出手段から出力された前記平均値と、前記統計標準偏差算出手段から出力された前記標準偏差を用いて、前記相関通信品質記憶手段を参照して、通信品質を導出する第３のステップと
を有することを特徴とする通信品質推定方法。
【発明の詳細な説明】
【技術分野】
【０００１】
本発明は、無線通信システムについて、無線品質から通信品質を推定する無線通信装置、方法及びプログラムに関する。
【背景技術】
【０００２】
無線ＬＡＮ(Local Area Network)及びセルラ通信網のような無線通信システムでは、無線品質に応じて伝送速度を変化させる適応変調（ＡＭＣ：Adaptive Modulation and Coding）が用いられる。適応変調では、送信信号の直交変調方式と、誤り訂正符号の符号化率との組み合わせ（ＭＣＳ：Modulation and Coding Scheme）によって、伝送速度が決定される。
【０００３】
適応変調を用いた無線通信システムでは、受信側無線通信装置がパイロット信号を用いて無線品質を測定する。受信側無線通信装置は、その測定値から一定の誤り率以下で伝送可能な伝送速度を判定し、その伝送速度を送信側無線通信装置へフィードバックする。送信側無線通信装置は、フィードバックされた伝送速度によってパケットを送信する。
【０００４】
また、受信側無線通信装置は、通信品質を測定することによって、その位置で受けることができるサービス品質を評価することができる。しかしながら、通信品質を測定する場合、無線リンクを含むネットワークに、トラフィックを流す必要がある。そのために、多くの無線通信装置が頻繁に通信品質を測定することは、基地局及びネットワークに負荷を加えると共に、システム全体の通信品質を低下させる場合がある。
【０００５】
適応変調を用いた無線通信システムによれば、無線品質に基づいて伝送速度が決定されるために、通信品質は無線品質に依存することとなる。また、無線品質は、トラフィックを流すことなく測定することができるので、基地局及びネットワークに負荷が加わらない。そのために、無線品質に基づいて通信品質を推定する技術が検討されている。尚、以下では、「最大伝送速度」は、競合するトラフィックが無いときに実現可能な伝送速度の上限を意味する。
【０００６】
従来、無線品質を用いて最大伝送速度を推定する技術がある（例えば特許文献１参照）。この技術によれば、無線品質であるパイロット信号強度、ビーコン信号強度、Eb/N0 (Energy per bit to Noise power spectral density ratio)、ＳＩＮＲ(Signal to Interference and Noise power Ratio)、及びＣＩＲ(Carrier to Interference power Ratio)のうち少なくとも１つ以上を用いて、最大伝送速度を推定する。無線品質から最大伝送速度への対応付けは、無線アクセス方式毎に、無線品質を入力とするアクセス特定関数を用いて定義される。
【０００７】
また、無線品質としてＣＩＲを用いることによって、ＤＲＣ(Data Rate Control)の伝送速度を導出する技術もある（例えば特許文献２参照）。この技術によれば、ＣＩＲからＤＲＣへの変換テーブルを用いる。ＤＲＣは、変調方式及びＨＡＲＱ(Hybrid Automatic Repeat reQuest)の再送回数によって定義される。また、ＤＲＣレートは、ＨＡＲＱの上限まで再送されたときの最大伝送速度とみなす。
【０００８】
更に、特許文献２に記載された技術を用いて、ＣＩＲに加えて更に受信電力を用いて、ＤＲＣの伝送速度を導出する技術もある（例えば特許文献３参照）。この技術によれば、最大伝送速度は、ＣＩＲから導出されるＤＲＣと、受信電力及び基準値の比較によって得られる指標値とを用いて算出される。
【０００９】
【特許文献１】特表２００７−５１５１２３号公報
【特許文献２】特開２００４−２５３８３２号公報
【特許文献３】特開２００８−１１３４５５号公報
【非特許文献１】Kamran Etemad, CDMA2000 Evolution:SystemConcepts and Design Principles, a Wiley-Interscience Publication, 2005.
【発明の開示】
【発明が解決しようとする課題】
【００１０】
特許文献１に記載された技術によれば、アクセス特定関数を用いて、無線品質から最大伝送速度へ対応付けている。しかしながら、無線品質が、周囲の環境及び無線端末の移動などによって時間変動する場合、アクセス特定関数のみを用いて、無線品質から正確な通信品質を推定することは困難である。その理由は、無線品質の変動及びその変動速度によって、無線品質と通信品質との関係が異なるためである。例えば、ＡＷＧＮ伝送路とレイリーフェージング伝送路とは、平均ＳＩＮＲが同一であっても、ビット誤り率特性が大きく異なることは周知である。
【００１１】
また、特許文献２及び３に記載された技術によれば、無線品質から推定されたＤＲＣを、最大伝送速度とみなしている。しかしながら、無線品質が変動する環境では、再送回数が上限に達する前に、正常に受信されるEarly Terminationが起こる。そのために、ＤＲＣが最大伝送速度と等価であるとみなすことは難しい。
【００１２】
従って、本発明は、無線品質の変動量及び変動速度を考慮した通信品質を推定することができる無線通信装置、方法及びプログラムを提供することを目的とする。
【課題を解決するための手段】
【００１３】
本発明によれば、基地局からの受信信号の無線品質に応じて、受信信号の伝送速度が可変となる適応変調方式に基づく無線通信装置において、
無線品質の平均値及び標準偏差の毎に、通信品質を対応付けた相関通信品質記憶手段と、
受信信号における無線品質を出力する復調手段と、
無線品質における平均値を算出する統計平均値算出手段と、
無線品質における標準偏差を算出する統計標準偏差算出手段と、
統計平均値算出手段から出力された平均値と、統計標準偏差算出手段から出力された標準偏差を用いて、相関通信品質記憶手段を参照して、通信品質を導出する通信品質推定手段と
を有することを特徴とする。
【００１４】
本発明の無線通信装置における他の実施形態によれば、
相関通信品質記憶手段は、無線品質の平均値及び標準偏差と、通信品質との対応関係を表す推定式を記憶することも好ましい。
【００１５】
本発明の無線通信装置における他の実施形態によれば、
無線品質は、信号対干渉波比ＳＩＮＲ、及び／又は、所定誤り率以下で受信可能な伝送速度ＤＲＣであり、通信品質は、最大伝送速度であり、
相関通信品質記憶手段の推定式は、ＳＩＮＲ及び／又はＤＲＣの標準偏差を変化させた場合に実測された平均ＳＩＮＲ及び／又は平均ＤＲＣと最大伝送速度との関係を近似的に表す関数である
ことも好ましい。
【００１６】
本発明の無線通信装置における他の実施形態によれば、
無線品質は、信号対干渉波比ＳＩＮＲ、及び、所定誤り率以下で受信可能な伝送速度ＤＲＣであり、通信品質は、最大伝送速度であり、
相関通信品質記憶手段の推定式は、
ＳＩＮＲの平均値及び標準偏差から、伝送速度ＤＲＣ毎のパケット誤り率ＰＥＲ(Packet Error
Rate)を算出し、
ＳＩＮＲの平均値及び標準偏差から、各ＤＲＣが選択される選択確率を算出し、
パケット誤り率ＰＥＲから、伝送速度ＤＲＣ毎の平均再送回数を算出し、
選択確率及び平均再送回数に基づいて、最大伝送速度を算出する
ものであることも好ましい。
【００１７】
本発明によれば、基地局からの受信信号の無線品質に応じて、受信信号の伝送速度が可変となる適応変調方式に基づく無線通信装置に搭載されたコンピュータを機能させるプログラムにおいて、
無線品質の平均値及び標準偏差毎に、通信品質を対応付けた相関通信品質記憶手段と、
受信信号における無線品質を出力する復調手段と、
無線品質における平均値を算出する統計平均値算出手段と、
無線品質における標準偏差を算出する統計標準偏差算出手段と、
統計平均値算出手段から出力された平均値と、統計標準偏差算出手段から出力された標準偏差を用いて、相関通信品質記憶手段を参照して、通信品質を導出する通信品質推定手段と
してコンピュータを機能させることを特徴とする。
【００１８】
本発明によれば、基地局からの受信信号の無線品質に応じて、受信信号の伝送速度が可変となる適応変調方式に基づく無線通信装置の通信品質推定方法において、
無線品質の平均値及び標準偏差毎に、通信品質を対応付けた相関通信品質記憶部を有し、
受信信号における無線品質を出力する第１のステップと、
無線品質における平均値及び標準偏差を算出する第２のステップと、
統計平均値算出手段から出力された平均値と、統計標準偏差算出手段から出力された標準偏差を用いて、相関通信品質記憶手段を参照して、通信品質を導出する第３のステップと
を有することを特徴とする。
【発明の効果】
【００１９】
本発明の無線通信装置、方法及びプログラムによれば、無線品質の統計量としての平均値及び標準偏差を用いることによって、無線品質の変動量及び変動速度を考慮した通信品質を推定することができる。
【発明を実施するための最良の形態】
【００２０】
以下では、図面を用いて、本発明を実施するための最良の形態について詳細に説明する。
【００２１】
図１は、本発明における無線通信装置の機能構成図である。
【００２２】
無線通信システムとして、セルラシステムの下りリンクを想定する。図１によれば、無線通信装置１は、例えば携帯電話機であって、基地局２から共通チャネルのパイロット信号を受信する。携帯電話機１は、変調部１１１と、符号化部１１２と、復調部１２１と、復号部１２２と、相関通信品質記憶部１００と、統計平均値算出部１０１と、統計標準偏差算出部１０２と、通信品質推定部１０３とを有する。これら機能構成部は、携帯電話機（無線通信装置）に搭載されたコンピュータを機能させるプログラムを実行することによって実現される。
【００２３】
復調部１２１は、基地局２から送出されるパイロット信号を用いて、下りリンクの無線品質を測定し、その無線品質を出力する。無線品質は、例えばＳＩＮＲ(Signal / Interference Noise Ratio)又はＤＲＣ(Data Rate Control bit)であってもよい。
【００２４】
「ＳＩＮＲ」は、希望信号の電力と、干渉及び雑音信号の電力の和との比である。CDMA2000 EV-DO
Rev.Aによれば、ｄＢ値として表される。
【００２５】
「ＤＲＣ」は、伝送速度に基づく離散値である。CDMA2000 EV-DO Rev.Aによれば、１４種類のDRC Indexによって定義される。表１は、DRC IndexとDRC Rate（伝送速度）との関係を表すグラフである。
【表１】
2010147823.tif 000003
【００２６】
復調部１２１は、ＳＩＮＲに基づくｄＢ値と、ＤＲＣに基づくDRC Indexとを、統計平均値算出部１０１及び統計標準偏差算出部１０２へ出力する。
【００２７】
統計平均値算出部１０１及び統計標準偏差算出部１０２は、ＳＩＮＲ及びＤＲＣを復調部１２１から受け取る。ここで、EV-DO Rev.Aに基づく表１によれば、DRC Indexは、伝送速度の順番に並んでいない。また、同一伝送速度となる複数のＤＲＣが存在している。本発明によれば、DRC
Indexを伝送速度順に並びかえたDRC Orderを新たに定義する。
【００２８】
表２は、DRC OrderとDRC IndexとDRC Rate（伝送速度）との関係を表すグラフである。
【表２】
2010147823.tif 000004
【００２９】
統計平均値算出部１０１及び統計標準偏差算出部１０２は、DRC Indexから、伝送速度(DRC Rate)及びDRC Orderを導出する。
【００３０】
統計平均値算出部１０１は、無線品質における平均値を算出する。また、統計標準偏差算出部１０２は、無線品質における標準偏差を算出する。ここで、無線品質とは、ＳＩＮＲに基づくｄＢ値と、ＤＲＣに基づくDRC Indexとである。ＳＩＮＲの平均値とは、レイリーフェージングによる変動に対する平均であり、数十〜数百msの平均値である。また、ＳＩＮＲの標準偏差とは、平均値を求める区間における標準偏差を表す。
【００３１】
統計平均値算出部１０１は、ＳＩＮＲに基づくｄＢ値の平均値と、ＤＲＣに基づくDRC Indexの平均値とを算出する。平均値及び２乗平均値は、区間平均、単純移動平均（ＳＭＡ）、又は指数平滑移動平均（ＥＭＡ）を用いて算出されてもよい。また、統計標準偏差算出部１０２は、ＳＩＮＲに基づくｄＢ値の標準偏差と、ＤＲＣに基づくDRC Indexの標準偏差とを算出する。
【００３２】
図２は、経過時間に対する伝送速度及びDRC Orderの変化を表すグラフである。図２（ａ）は、経過時間に対する伝送速度の変化を表しており、ＥRateは、伝送速度の平均値を表す。図２（ｂ）は、経過時間に対するDRC Orderの変化を表しており、ＥOrderは、DRC Orderの平均値を表す。
【００３３】
図２（ａ）と図２（ｂ）との相違からも明らかなとおり、ＤＲＣの変動と伝送速度の標準偏差との関係が、伝送速度の大きさによって異なっている。例えば、以下のような違いがある。
DRC Order1 - DRC Order2の変動  ：  伝送速度差＝38.4 kbps
・・・・・・・・・
DRC Order10 - DRC Order11の変動：  伝送速度差＝614.4 kbps
・・・・・・・・・
【００３４】
この場合、DRC Order間の伝送速度差は、１６倍にもなる。そのため、ＤＲＣ変動の遷移確率が等しい場合、DRC Order1-2間での変動と、DRC Order10-11間での変動とは、その標準偏差が１６倍となる。一方で、DRC Orderの標準偏差は、伝送速度の大小に関わらず、同一基準で評価することができる。そのため、通信品質推定では、伝送速度の標準偏差と、DRC Orderの標準偏差とを用いる。
【００３５】
通信品質推定部１０３は、統計平均値算出部１０１から出力された平均値と、統計標準偏差算出部１０２から出力された標準偏差とを用いて、相関通信品質記憶部１００を参照して、通信品質を導出する。
【００３６】
相関通信品質記憶部１００は、無線品質の平均値及び標準偏差の毎に対応付けた通信品質を記憶する。ここで、相関通信品質記憶部１００は、ＳＩＮＲ及びＤＲＣの無線品質の平均値及び標準偏差から、最大伝送速度の通信品質を出力する推定式を記憶する。推定式には、例えば２つの実施形態がある。
【００３７】
［第１の推定式］
第１の推定式は、ＳＩＮＲ及び／又はＤＲＣの標準偏差を変化させた場合に実測された平均ＳＩＮＲ及び／又は平均ＤＲＣと最大伝送速度との関係を近似的に表す関数である。最初に、無線品質及び通信品質を予め同時に測定する。このとき、通信品質として最大伝送速度を測定するために、他のトラフィックが無い環境で測定する。また、無線品質の平均値及び標準偏差が所定値になるような環境であることが好ましい。実測点は離散的であるため、その中間点を近似的に導出するべく、最小２乗法などを用いて、無線品質の統計量と通信品質との関係を近似した確率モデル式を算出する。
【００３８】
図３は、平均ＳＩＮＲに対する最大伝送速度の推定式の関係を表すグラフである。
【００３９】
σSINRは、ＳＩＮＲの標準偏差を表す。図３によれば、σSINR＝０及びσSINR＝１０における、平均ＳＩＮＲに対する最大伝送速度がプロットされている。σSINRが大きくなるに従って、同一ＳＩＮＲにおける最大伝送速度が低下している。σSINRを変化させて測定することによって、測定結果に対する多項式関数と指数関数との和の形で、推定式を導出することができる。
【００４０】
例えば、二次関数と２を底とする指数関数を用いるとき、σSINR＝０について、ＳＩＮＲ(dB)γから最大伝送速度 (bps)Ｔを導出する推定式は、以下のように表される。
Ｔ＝ａ｛（ｂγ＋ｃ）２＋２ｄγ＋ｅ｝
但し、ａ，ｂ，ｃ，ｄ及びｅはそれぞれ、実定数である。
【００４１】
図４は、平均伝送速度（ＤＲＣレート）に対する最大伝送速度の推定式の関係を表すグラフである。
【００４２】
σOrderは、DRC Orderの標準偏差を表す。図４によれば、σOrder＝０及びσOrder＝２における、DRC Orderに対する最大伝送速度がプロットされている。また、DRC Orderと最大伝送速度とが等しくなるプロットを、直線状の補助線で描いている。同一ＤＲＣにおける最大伝送速度は、σOrder＝０とσOrder＝２とで大きく異なっている。これは、CDMA2000 EV-DO Rev.Aでは、ＨＡＲＱが用いられていることに基づく。無線品質が変動している場合、Early Terminationによって、最大伝送速度が、DRC Orderよりも大きくなるためである。
【００４３】
σOrder＝０のとき、即ち、DRC Orderが変動していない状態では、DRC Orderと最大伝送速度とは、線形関係にある。一方で、σOrder＝２のとき、最大伝送速度がDRC Orderの対数関数の関係になる。ここで、測定結果に対する一次関数と対数関数との和の形で、推定式を導出する。
【００４４】
例えば、２を底とする対数関数を用いるとき、σOrder＝０について、ＤＲＣ(bps)Ｄから最大伝送速度(bps)Ｔを導出する推定式は、以下のように表される。
Ｔ＝ａＤ＋log2（ｂＤ＋ｃ）＋ｄ
但し、ａ，ｂ，ｃ及びｄはそれぞれ、実定数であり、ｃ＞１を満たす。
【００４５】
尚、σSINR＝５のときの推定式は、σSINR＝０及びσSINR＝１０の推定式に基づいて、近似的に導出する必要がある。
【００４６】
［第２の推定式］
推定式は、以下の４つのステップからなる。
（Ｓ１）ＳＩＮＲの平均値及び標準偏差から、ＤＲＣ毎のパケット誤り率ＰＥＲ(Packet Error Rate)を算出する。
（Ｓ２）ＳＩＮＲの平均値及び標準偏差から、各ＤＲＣが選択される選択確率を算出する。
（Ｓ３）パケット誤り率ＰＥＲから、ＤＲＣ毎の平均再送回数を算出する。
（Ｓ４）選択確率及び平均再送回数に基づいて、最大伝送速度を算出する。
【００４７】
（Ｓ１）ＳＩＮＲの平均値及び標準偏差から、ＤＲＣ毎のパケット誤り率ＰＥＲを算出する。図５は、ＳＩＮＲの平均値AveSINR及び標準偏差σSINRに対する、ＤＲＣ毎のパケット誤り率ＰＥＲを表すグラフである。また、同一のＭＣＳ（直交変調方式及び誤り訂正符号化率の組合せ）を用いるＤＲＣについて、AveSINR及びσSINRに対するスロット誤り率ＰＥＲは、同一となる。AveSINRが同一の条件の下では、σSINRが大きくなるほどＰＥＲは大きくなる。あるＤＲＣにおけるＰＥＲ特性PERDRCは、関数ｆDRCによって算出する。
PERDRC（AveSINR，σSINR）＝ｆDRC（AveSINR，σSINR）
【００４８】
（Ｓ２）ＳＩＮＲの平均値及び標準偏差から、各ＤＲＣが選択される選択確率を算出する。図６は、ＳＩＮＲの平均値AveSINR及び標準偏差σSINRに対する、各ＤＲＣが選択される確率を表すグラフである。標準偏差σSINRが大きくなるほど、あるＤＲＣが選択される平均値AveSINRの範囲が広くなる。あるＤＲＣが選択される確率ＰDRCは、関数ｇDRCによって導出する。
ＰDRC（AveSINR，σSINR）＝ｇDRC（AveSINR，σSINR）
【００４９】
（Ｓ３）パケット誤り率ＰＥＲから、ＤＲＣ毎の平均再送回数を算出する。
Ｓ１で算出したＳＩＮＲの平均値AveSINR及び標準偏差σSINRから導出されたＤＲＣ毎のＰＥＲを用いて、ＤＲＣ毎の平均再送回数を導出する。ＤＲＣ毎に定められている、パケット再送回数の上限ＮmaxDRCを用いて、平均再送回数ＮDRCを以下のように導出する。
ＮDRC（AveSINR，σSINR）＝
Σi=1ＮmaxDRC［i・{1-PERDRC(AveSINR,σSINR)}・PERDRCi-1(AveSINR,σSINR)］
【００５０】
（Ｓ４）選択確率及び平均再送回数に基づいて、最大伝送速度を算出する。
Ｓ２及びＳ３で導出した、各ＤＲＣが選択される確率ＰDRCと、ＤＲＣ毎の平均再送回数ＮDRCを用いて、スループットの期待値を導出する。各ＤＲＣにおいて、パケット誤りが発生しないときの最大伝送レートＲDRCが一意に定義される。ＰDRC，ＮDRC及びＲDRCを用いて、スループットの期待値Ｒは、以下のように算出される。
Ｒ（AveSINR，σSINR）＝
Σi=1DRCmaxＰi(AveSINR,σSINR)・Ｒi／Ｎi(AveSINR,σSINR)
DRCmaxは、DRC Indexの最大値を表す。例えばCDMA2000 1xEV-DO Rev.Aの場合、DRCmax＝１４である。また、ＳＩＮＲの平均値AveSINR及び標準偏差σSINRが与えられたとき、平均スループットＲを導出する。
【００５１】
以上、詳細に説明したように、本発明の無線通信装置、方法及びプログラムによれば、無線品質の統計量としての平均値及び標準偏差を用いることによって、無線品質の変動量及び変動速度を考慮した通信品質を推定することができる。具体的には、適応変調を用いた無線通信システムにおいて、ＳＩＮＲ及びＤＲＣの変動量を考慮して、最大伝送速度を推定することができる。特に、平均値だけでなく、標準偏差をパラメータとして用いることによって、無線品質の変動を考慮することができる。無線品質の変動を、指数分布などの確率分布モデルで近似して、適応変調及びＨＡＲＱの振る舞いを理論的に分析し、最大伝送速度の推定式を導出する。
【００５２】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００５３】
【図１】本発明における無線通信装置の機能構成図である。
【図２】経過時間に対する伝送速度及びDRC Orderの変化を表すグラフである。
【図３】平均ＳＩＮＲに対する最大伝送速度の推定式の関係を表すグラフである。
【図４】平均ＤＲＣレートに対する最大伝送速度の推定式の関係を表すグラフである。
【図５】ＳＩＮＲの平均値AveSINR及び標準偏差σSINRに対する、ＤＲＣ毎のパケット誤り率ＰＥＲを表すグラフである。
【図６】ＳＩＮＲの平均値AveSINR及び標準偏差σSINRに対する、各ＤＲＣが選択される確率を表すグラフである。
【符号の説明】
【００５４】
１  無線通信装置、携帯電話機
２  基地局
１１１  変調部
１１２  符号化部
１２１  復調部
１２２  復号部
１００  相関通信品質記憶部
１０１  統計平均値算出部
１０２  統計標準偏差算出部
１０３  通信品質推定部
【図１】
2010147823.tif 000005
【図２】
2010147823.tif 000006
【図３】
2010147823.tif 000007
【図４】
2010147823.tif 000008
【図５】
2010147823.tif 000009
【図６】
2010147823.tif 000010